(57)【要約】【課題】より多くのデータを記録できデータや情報のセキュリティを保護できるように構成した大容量の記録ディスクを備えた複合ＩＣモジュール並びにデータ記録・再生方法を提供する。【解決手段】メモリとＣＰＵとを少なくとも含むＩＣと、外部装置によりデータの読出し及び／又は書込み可能な記録ディスクとを一体にしてモジュール化し、データ量の大きい公開鍵を記録ディスクに記録し、秘密鍵をキーのかかっているＩＣに記録する。【選択図】          図１
2005234609.tif 000002
【特許請求の範囲】
【請求項１】
メモリとＣＰＵとを少なくとも含むＩＣと、外部装置によりデータの読出し及び／又は書込み可能な記録ディスクとを一体にしてモジュール化したことを特徴とする記録ディスクを備えた複合ＩＣモジュール。
【請求項２】
前記記録ディスクには、磁気的手段によるデータの読出し及び／又は書込み可能な記録媒体を用いていることを特徴とする請求項１に記載の記録ディスクを備えた複合ＩＣモジュール。
【請求項３】
前記記録ディスクには、光学的手段によるデータの読出し及び／又は書込み可能な記録媒体を用いていることを特徴とする請求項１に記載の記録ディスクを備えた複合ＩＣモジュール。
【請求項４】
キャッシュカード、クレジットカード等のカード形態に構成したことを特徴とする請求項１〜３のいずれかに記載の複合ＩＣモジュール。
【請求項５】
外部機器によりデータの読出し及び／又は書込み可能な磁気ストライプを有することを特徴とする請求項４に記載の複合ＩＣモジュール。
【請求項６】
請求項１〜５のいずれかに記載のメモリとＣＰＵとを少なくとも含むＩＣと、外部装置によりデータの読出し及び／又は書込み可能な記録ディスクとを一体にしてモジュール化した複合ＩＣモジュールにおいて、該複合ＩＣモジュールに対するデータの読出し及び／又は書込みを行う方法であって、データ量の大きい公開鍵を前記記録ディスクに記録し、秘密鍵をキーのかかっている前記ＩＣに記録することを特徴とする記録ディスクを備えた複合ＩＣモジュールのデータ記録・再生方法。
【請求項７】
セキュリティ性の低い情報を前記記録ディスクに記録し、セキュリティ性の要求の高い情報を前記ＩＣに記録することを特徴とする請求項６に記載の記録ディスクを備えた複合ＩＣモジュールのデータ記録・再生方法。
【請求項８】
データを暗号化・復号化するアルゴリズム及び函数を前記ＩＣに記録し、暗号化されたデータを前記記録ディスクに記録することを特徴とする請求項６又は請求項７に記載の記録ディスクを備えた複合ＩＣモジュールのデータ記録・再生方法。
【請求項９】
前記記録ディスクに記録されるデータを暗号化し、暗号化されたデータを読み書きするＯＳ（オペレーティングシステム）を前記ＩＣに記録することを特徴とする請求項６〜８のいずれかに記載の記録ディスクを備えた複合ＩＣモジュールのデータ記録・再生方法。
【請求項１０】
映像等の情報量の多いデータを前記記録ディスクに記録することを特徴とする請求項６〜９のいずれかに記載の記録ディスクを備えた複合ＩＣモジュールのデータ記録・再生方法。
【請求項１１】
機密性を要するデータを前記ＩＣに記録することを特徴とする請求項６〜１０のいずれかに記載の記録ディスクを備えた複合ＩＣモジュールのデータ記録・再生方法。
【請求項１２】
前記記録ディスクに符号化、暗号化されて記録されるデータと、前記ＩＣに記録されるデータとがそれぞれの記録に対応する相関を有していることを特徴とする請求項６〜１１のいずれかに記載の記録ディスクを備えた複合ＩＣモジュールのデータ記録・再生方法。
【発明の詳細な説明】
【０００１】
【発明の属する技術分野】
本発明は、外部装置にセットしてデータの書込み、読出しを行うＩＣと記録ディスクとを一体にしてモジュール化したセキュリティ機能を有する記録ディスクを備えた複合ＩＣモジュール並びにデータ記録・再生方法に関する。
【０００２】
【従来の技術】
一般に使用されているカードは、磁気カード、ＩＣカードなどで自動認識、セキュリティ等の目的で使用されている。又ＩＣカードの最初の発明である１９７０年に発明された特許第９４０５４８号公報の「識別カード」やコンパクトディスクを用いたカード式読取装置等がある。これらの発明によって電子的な方法で個人の識別が行われ安全にデータの移行が実行され、電子商取引になくてはならない決済手段となりつつある。またコンピュータの利用とインターネット、モバイル等の利用と発展により、より多くの人、より多くの目的に、かつ映像を含めてデータの送受が行われるようになって来ており、複雑多角化し、安全性の面からもより大きい暗号、鍵等を用いて、より多くのデータと大容量の記録をカードに求められるようになって来ている。
【０００３】
【発明が解決しようとする課題】
しかしながら，現在安価にできるＩＣチップのメモリ容量は６４ｋｂｉｔ程度であり、せいぜい２５６ｋｂｉｔ〜１Ｍｂｉｔが限度で、より多くのデータを記録・再生できる記録媒体と、記録データのセキュリティの確保が必要となっている。
【０００４】
以上のような問題を解決するために本発明では、住民票、保険証、健康手帳、パスポート、運転免許証、銀行のバランスシート、原稿、記事、地図、音楽等、様々な用途に適用するため、より多くのデータを記録でき、データや情報のセキュリティを保護できるように構成した大容量の記録ディスクを備えた複合ＩＣモジュール並びにデータ記録・再生方法を提供することを目的とする。
【０００５】
【課題を解決するための手段】
上記目的を達成するため、請求項１に記載の発明は、メモリとＣＰＵとを少なくとも含むＩＣと、外部装置によりデータの読出し及び／又は書込み可能な記録ディスクとを一体にしてモジュール化したことを特徴とする。
【０００６】
請求項２に記載の発明は、前記記録ディスクには、磁気的手段によるデータの読出し及び／又は書込み可能な記録媒体を用いていることを特徴とする。
請求項３に記載の発明は、前記記録ディスクには、光学的手段によるデータの読出し及び／又は書込み可能な記録媒体を用いていることを特徴とする。
【０００７】
請求項４に記載の発明は，キャッシュカード、クレジットカード等のカード形態に構成したことを特徴とする。
請求項５に記載の発明は，外部機器によりデータの読出し及び／又は書込み可能な磁気ストライプを有することを特徴とする。
【０００８】
請求項６に記載の発明は、請求項１〜５のいずれかに記載のメモリとＣＰＵとを少なくとも含むＩＣと、外部装置によりデータの読出し及び／又は書込み可能な記録ディスクとを一体にしてモジュール化した複合ＩＣモジュールにおいて、該複合ＩＣモジュールに対するデータの読出し及び／又は書込みを行う方法であって、データ量の大きい公開鍵を前記記録ディスクに記録し、秘密鍵をキーのかかっている前記ＩＣに記録することを特徴とする。
【０００９】
請求項７に記載の発明は、セキュリティ性の低い情報を前記記録ディスクに記録し、セキュリティ性の要求の高い情報を前記ＩＣに記録することを特徴とする。
請求項８に記載の発明は、データを暗号化・復号化するアルゴリズム及び函数を前記ＩＣに記録し、暗号化されたデータを前記記録ディスクに記録することを特徴とする。
請求項９に記載の発明は、前記記録ディスクに記録されるデータを暗号化し、暗号化されたデータを読み書きするＯＳ（オペレーティングシステム）を前記ＩＣに記録することを特徴とする。
【００１０】
請求項１０に記載の発明は、映像等の情報量の多いデータを前記記録ディスクに記録することを特徴とする。
請求項１１に記載の発明は、機密性を要するデータを前記ＩＣに記録することを特徴とする。
【００１１】
請求項１２に記載の発明は、前記記録ディスクに符号化、暗号化されて記録されるデータと、前記ＩＣに記録されるデータとがそれぞれの記録に対応する相関を有していることを特徴とする。
【００１２】
【発明の実施の形態】
次に、本発明にかかる記録ディスクを備えた複合ＩＣモジュールを、ＩＣカードへ適用した実施の形態の具体例を、図面を参照して説明する。
図１は、第１の実施の形態におけるＩＣカードの斜視図である。図１（ａ）はＩＣカードの表面側、図１（ｂ）はその裏面側をそれぞれ示している。符号１はＩＣカードの本体を示し、一般のＩＣカードに適用されている規格に適合するサイズと形状を有するもので、ＩＣカード内部には、フレキシブルディスクのケース内に収容されているものと同等の、例えばポリエチレンテレフタレートフィルムの表面に磁性記録層を設けて構成された円盤状のディスク６が、その軸心を中心として回転自在に収容されている。
【００１３】
また図１（ｂ）に示すように、ＩＣカード本体１の裏面側には、ディスク６の中心部に設けられたハブ６−１が位置する円形の窓と、この記録ディスク６の磁気記録層に対して、磁気ヘッド（図示せず）がアクセスするためのヘッド用窓１０が形成されている。ハブ６−１は、その中心に設けられた中心穴６−２と、外部の駆動機構と係合する係合穴６−３とを有し、中心穴６−２を中心として所定の速度で回転されるようになっている。図１には、簡単化のためにヘッド用窓１０は解放されたままのものとして示されているが、一般のフレキシブルディスクと同様、通常は閉位置に保持され、書込み・読取りの際には解放されるシャッターを設けることが望ましい。
さらにこのカード本体１の内部には、ＩＣチップ３が埋め込まれ、また表面側にはこのチップと外部機器との間で信号の授受を行うための端子２が設けられている。
【００１４】
このようにされたＩＣカード１と外部情報処理装置との間で信号の授受を行う場合に、ＩＣチップ３との情報のやり取りは、図示していない外部の情報処理装置のカードスロットに挿入することにより行われる。ＩＣチップ３にはあらかじめ設定された、カード所有者の識別情報と、このＩＣカードの利用目的に応じて選択される種々の情報が記憶されている。また情報処理装置は、ＩＣカード１の端子２に電気的に接触する端子を介して、ＩＣカード１に装備されているＩＣチップ３との間で種々の情報を交換するインターフェースを有している。またディスク６との情報のやりとりは、後述するアダプタと汎用の装置により行うことができる。但し、本発明の特徴を活かすためにはＩＣチップ３とディスク６の情報の連係が必要なので、ＩＣチップ３、ディスク６の各情報にアクセスする専用のアダプタ、もしくは専用の読取り・書込み装置を用意する必要がある。
【００１５】
フレキシブルディスク６に記録された情報は、磁気表面が露出しているため記録内容の読取りが比較的容易に出来るのに対し、ＩＣチップ３に記録された情報は物理的な方法によって読取ることが出来ないため機密性にすぐれている。
記録容量に関しては、現在安価にできるＩＣチップ３のメモリ容量は前述したように６４ｋｂｉｔ程度であり、せいぜい２５６ｋｂｉｔ〜１Ｍｂｉｔが限度であるが、磁気記録ディスク６を備えることによって、このＩＣカード１に記録できるデータ量が拡大され、その用途も広がる。
【００１６】
記録容量は大きいがセキュリティ性がない磁気記録ディスク６と、逆にセキュリティ性は確保できるが記録容量の小さいＩＣチップ３の両者の特徴を活かして、記録すべき情報の機密性や情報量によってＩＣチップ３とディスク６に振り分けて記録する。例えば、機密を要する情報はＩＣチップ３に記録し、そうではない情報、映像等の情報量の多いデータ、あるいは機密を要するが大きい情報量のデータは暗号化してディスク６に記録し、これを復号化、暗号化するアルゴリズムや函数をＩＣチップ３に記録する。この様な記録方法をとることにより、大量の情報を、セキュリティ性を確保して記録できる。さらには、前記記録ディスク６に符号化、暗号化されて記録されるデータと、ＩＣチップ３に記録されるデータとがそれぞれの記録に対応する相関を持たせて記録することにより、よりセキュリティ性を高めることができる。
【００１７】
図２は、図１に示したＩＣカードの構造の詳細を説明するもので、カードを上下に割った状態を示す斜視図である。図２（ａ）はカード本体上蓋１−２を外面側から、図２（ｂ）はカード本体下蓋１−１の内部を見たもので、上蓋１−２には端子を含むモジュールが現れ、下蓋１−１にはチップが入る凹部３−１があり、ディスク用凹部６−５の中にフレキシブルディスク６が嵌め込まれるように構成されている。
【００１８】
図３は、図１〜２に示したＩＣカードの断面図である。カード内部のＩＣチップ３及びフレキシブルディスク６が収容されている部分を、図１（ａ）のＡ−Ａ線に沿って見た断面である。
【００１９】
図４は、第２の実施の形態におけるＩＣカードの斜視図である。図４（ａ）はＩＣカードの表面側、図４（ｂ）はその裏面側をそれぞれ示している。図１〜３に示した第１の実施の形態に加え、信号の授受を非接触で行うコイル４を備え、さらにはヘッド用窓１０やディスクハブ６−１が嵌め込まれる穴６−４が開けられている面側に、外部装置により読取り・書込みが可能な磁気ストライプ５を施したものである。
【００２０】
図５は、第３の実施の形態におけるＩＣカードの斜視図である。図５（ａ）はＩＣカードの表面側、図５（ｂ）はその裏面側をそれぞれ示している。図４に示した第２の実施の形態と同様、裏面側に磁気ストライプ５がほどこされており、図１〜図４に示したフレキシブルディスク６に代えてガラスまたはポリカーボネイト等のプラスチック材料でできた光学記録用の円盤状のＤＶＤディスク７が、その軸心を中心として回転自在に収容されている。裏面側にはＤＶＤディスク７にアクセスするための窓１０が設けられている。尚、光学記録用の円盤状のＤＶＤディスク７及び後述するコンパクトディスク９は、第１、第２の実施の形態で述べた磁気記録媒体ディスク６と同様、記録媒体表面が露出しており、記録内容の読取りが比較的容易であり、セキュリティ性はない。
【００２１】
図６は、第４の実施の形態におけるＩＣカードの表面側を示す斜視図である。図５と同様、図４に示したフレキシブルディスク６に代えてガラスまたはポリカーボネイト等のプラスチック材料でできた光学記録用の円盤状のＤＶＤディスク７が、その軸心を中心として回転自在に収容されている。裏面側には図５（ｂ）に示した窓に代わりＤＶＤディスク７を保護する薄い透明なシートが備えられている。
【００２２】
図７は、第５の実施の形態におけるＩＣカードの表面側を示す斜視図である。図６に示した第４の実施の形態とほぼ同じであるが、接触又は非接触の結合によりデータの読み書きを行うＩＣチップ３とコイル４を一体に構成してモジュール化したものを組み込んである。
【００２３】
図８は、図７に示したＩＣカードのＢ−Ｂ線に沿った断面図である。接触端子２とＩＣチップ３と非接触コイル４とからなる接触式・非接触式合成モジュールが左側に入っており、右側にはＤＶＤディスク７が入っている。モジュールの位置とディスクの位置が異なるため断面は同一の位置とはならないが、説明のため同一断面として画いてある。
【００２４】
図９は、図５に示したＩＣカードを上下に割った状態を示す斜視図である。但し、図５の接触端子２に代えて接触式・被接触式合成モジュールが描かれており、また磁気ストライプは描かれていない。図９（ａ）はカード本体上蓋１−２の表面側を、図９（ｂ）はカード本体下蓋１−１の内面をみたもので、ＤＶＤディスク７が収容されるための凹部が設けてある。その凹部の中央位置には、外部装置のディスク駆動部が上昇してくるための貫通穴が開けられている。
【００２５】
図１０は、第６の実施の形態におけるＩＣカードの斜視図である。図１０（ａ）はＩＣカードの表面側、図１０（ｂ）はその裏面側をそれぞれ示している。図１〜図３に示したフレキシブルディスク６に代えて密閉型の磁気記録用のハードディスク８が、収容されている。
【００２６】
図１１は、第７の実施の形態におけるＩＣカードの斜視図である。図１１（ａ）はＩＣカードの表面側、図１１（ｂ）はその裏面側をそれぞれ示している。図１〜図３に示したフレキシブルディスク６に代えて光学記録用の円盤状のコンパクトディスク（ＣＤ）９が、その軸心を中心として回転自在に収容されている。
【００２７】
図１２は、第８の実施の形態におけるＩＣカードを上下に割った状態を示す斜視図であり、ＤＶＤディスク７をカードから容易に取り出して読み書きを行える構造を示すもので、図１２（ａ）はコイン形電池の着脱とほぼ同じようにプラスチックの枠を引出してディスクを取り出し、図１２（ｂ）は角に軸１１を設けて回転させて取り出す構造を示す。他のディスクを用いる場合もこれとほぼ同じ構成が適用できる。
【００２８】
図１３は、図６〜８に示したＩＣカードの上下部分の溶着状態を表す断面図で、ＤＶＤディスク７が収容されるカード形ケースは上下に二分され、ポリスチロール等の透明プラスチック１−３がインサート成形等によりＡＢＳ樹脂等で構成されたケース１−１の一部に嵌め込まれており、光が透過できるようになっている。図１３（ａ）は、超音波溶着前の状態を示し、図１３（ｂ）は、ＩＣカードの上下部分が溶着し、ＤＶＤディスク７がケースに収容された状態を示している。超音波によるＩＣカードの溶着は、他のディスクにも適用される。
尚、図１３では、ディスクを保持するための穴が中心部に設けられているが、必ずしもディスク自体を回転させる必要がなく、センサー側を回転させてディスク情報を読取ることも可能である。
【００２９】
図１４は、図１〜図４に示したＩＣカードを、標準のリード／ライト装置２２に挿入して、書込み・読出しを行おうとする場合を示し、図１４（ａ）は２インチＦＤ（フレキシブルディスク）と同等のスロットを用いる場合で、装置のスロット２３のサイズに合わせたアダプタ１２を用いることにより書込み・読出しが可能となる。図１４（ｂ）は３インチＦＤのスロットを用いて書込み・読出しを行う場合のアダプタを示すものである。これらのアダプタ１２側にもリード／ライト装置２２に合わせてシャッターが設けられている。
【００３０】
図１５は、第１〜８の実施の形態によるＩＣカードのデータ記録・再生方法の暗号に関する説明図である。秘密鍵ｂを公開鍵ａの中にかくしたＲＳＡセキュリティ社のＲＳＡ暗号などで知られる公開鍵暗号方式では、公開鍵ａのみが公開されても暗号化された内容ｄは全く意味不明のものである。これは単なる認証にも用いられるが、暗号化にも用いることができる。暗号化された内容ｄは秘密鍵ｂでのみ復号化することができる。従って公開鍵ａは一般に公開されるものであり、これは誰でも見ることができる機会があるのでディスク上に載せる。即ち公開鍵ａはディスクに記録させていても差し支えない情報である。然るに、デクリプション方法（復号化方法−解凍手段となる条件や函数）や秘密鍵ｂは他人の手に渡ってはならないものであり、鍵を備えたＩＣチップに保存記録させる方が合理的で安全である。また公開鍵ａには秘密鍵ｂを含んでいることからビット数が多くなるので、大量の記録ができるディスク側に記録させることが有効である。
【００３１】
図１６は、第１〜８の実施の形態によるＩＣカードのデータ記録・再生方法の機密性に関する説明図である。
フレキシブルディスク、ＤＶＤ、ハードディスク、コンパクトディスク等のディスク１３に記録される内容ｅは比較的機密性の薄いデータで、ＩＣチップ３に記録される内容やデータｆは機密性を高くしなければならないため鍵ｇがかけられていたり、暗号化されたりしている。ｉはインターフェース部である。一般には、図１６（ｂ）に示すように、ディスク１３に対応するインターフェースｋとＩＣチップ３に対応するインターフェースｊとは、それぞれ異なるフォーマットで構成されており、両方を含むインターフェースｉを介して外部機器のインターフェースｎと接続される。
【００３２】
図１７は、第１〜８の実施の形態によるＩＣカードのデータ記録・再生方法のアルゴリズム及び函数に関する説明図である。
ディスク１３に記録されたデータｅは暗号ｋがかかっており、これは図のように明確に分けられてはいないが、ここでは説明のためにこのように書いてある。暗号を取り除けば（復号化すれば）元のデータｅが復活するという意味である。この暗号または暗号の元となる符合やデータ並びに函数は鍵ｇのかかったＩＣチップ３の中のデータｆに保存されている。ＩＣチップ３の中の、データｆの中に隠された特殊な函数やアルゴリズムが分からなければ、ディスクに記録されているデータは変換されても単なる意味のない文字や数字である。ＩＣチップ３やディスク１３に対応するインターフェースｌにより通信が可能となる。従ってディスク１３に書込むときもＩＣチップ３の中の、暗号化の条件に従って書込むことができる。またディスク１３に載せられているデータを読取る際も、ＩＣチップ３に記録されている条件に従って暗号化されたデータとすることができる。ＩＣカードとして読み書きする場合は、通信用ソフトウエアｍを介して外部のインターフェースｎと通信する。
【００３３】
図１８は、第１〜８の実施の形態によるＩＣカードのデータ記録・再生方法のＯＳに関する説明図である。
ディスク１３に記録された内容ｅはこのままではコンピュータでは読めない。この内容を読むためのＯＳ（オペレーティングシステム）がＩＣチップ３に内蔵されているので、ＩＣチップ３よりＯＳを貰わない限りディスク１３の内容を読むことはできない。秘密鍵ｂはＯＳそのものに埋め込むことや、ここでは詳述しないが、他の種々の条件として組み込むこともできる。
【００３４】
図１９は、第１〜８の実施の形態によるＩＣカードのデータ記録・再生方法のセキュリティ性に関する説明図である。
一番単純な場合でセキュリティの必要のない記録はディスク１３に、セキュリティの必要なデータの記録はＩＣチップ３に記録される場合を示す。
【００３５】
図２０は、第１〜８の実施の形態によるＩＣカードのデータ記録・再生方法の相互相関の説明図である。
図１７、図１８の説明で記したようにディスク１３の一つ一つの記録をＩＣチップ３のデータと相関を持たせて不連続に変えていく方法で、最も複雑な暗号化が可能となる。一つの文章でブロック毎や時系列毎に行ってもよいし、メール毎に行ってもよいし、この条件を知る者（あるいはカード）のみ，文章または数字を復号化することができる。
【００３６】
【発明の効果】
以上説明したように、本発明の記録ディスクを備えた複合ＩＣモジュールをＩＣカードに適用することにより、ディスクとＩＣチップとの特徴（ディスクの大容量記録とＩＣチップのセキュリティ性）を活かして、種々の分野でのカードの利用が可能となる。
これは単に各機能を合成したのみでなく、それぞれの機能の特徴を活かしてカードの記録のセキュリティ性を高め、拡張性を高めることによって真の通信対応のカード、インターネット対応のカードを提供でき、かつ便利で簡単に使用できるのでこれから広がるディジタルネット社会に完全ないし充分に対応できるカードが提供できる。
【図面の簡単な説明】
【図１】本発明の、第１の実施の形態におけるフレキシブルディスクを用いた場合のＩＣカードを示す斜視図である。
【図２】図１に示すＩＣカードを上下に割った状態の斜視図である。
【図３】図１〜２に示すＩＣカードの断面図である。
【図４】本発明の、第２の実施の形態におけるＩＣカードの斜視図である。
【図５】本発明の、第３の実施の形態におけるＩＣカードの斜視図である。
【図６】本発明の、第４の実施の形態におけるＩＣカードの斜視図である。
【図７】本発明の、第５の実施の形態におけるＩＣカードの表面側を示す斜視図である。
【図８】図７に示すＩＣカードのＢ−Ｂ線に沿った断面図である。
【図９】図５に示すＩＣカードを上下に割った状態を表す斜視図である。
【図１０】本発明の、第６の実施の形態におけるＩＣカードの斜視図である。
【図１１】本発明の、第７の実施の形態におけるＩＣカードの斜視図である。
【図１２】本発明の、第８の実施の形態におけるＩＣカードを上下に割った状態で示した斜視図である。
【図１３】図６〜７に示すＩＣカードの上下部分の溶着状態を表す断面図である。
【図１４】図１〜４に示すＩＣカードを、アダプタを用いることにより、リード／ライトが可能となる事を示す説明図である。
【図１５】本発明の、第１〜８の実施の形態によるＩＣカードのデータ記録・再生方法の暗号に関する説明図である。
【図１６】本発明の、第１〜８の実施の形態によるＩＣカードのデータ記録・再生方法の機密性に関する説明図である。
【図１７】本発明の、第１〜８の実施の形態によるＩＣカードのデータ記録・再生方法のアルゴリズム及び函数に関する説明図である。
【図１８】本発明の、第１〜８の実施の形態によるＩＣカードのデータ記録・再生方法のＯＳに関する説明図である。
【図１９】本発明の、第１〜８の実施の形態によるＩＣカードのデータ記録・再生方法のセキュリティ性に関する説明図である。
【図２０】本発明の、第１〜８の実施の形態によるＩＣカードのデータ記録・再生方法の相互相関の説明図である。
【符号の説明】
１    ＩＣカード本体
１−１    カード本体下蓋
１−２    カード本体上蓋
１−３    透明プラスチック
２    ＩＣカードの端子
３    ＩＣチップ
３−１    ＩＣチップ用凹み
４    非接触用コイル
５    磁気ストライプ
６    フレキシブルディスク（ＦＤ）
６−１    ハブ
６−２    中心穴
６−３    係合穴
６−４    ディスクハブ用穴
７    ＤＶＤディスク
８    ハードディスク
９    コンパクトディスク（ＣＤ）
１０    窓
１１    軸
１２    アダプタ
１３    記録ディスク
ａ    公開鍵
ｂ    秘密鍵
ｃ    条件
ｄ    暗号文
【図１】
2005234609.tif 000003
【図２】
2005234609.tif 000004
【図３】
2005234609.tif 000005
【図４】
2005234609.tif 000006
【図５】
2005234609.tif 000007
【図６】
2005234609.tif 000008
【図７】
2005234609.tif 000009
【図８】
2005234609.tif 000010
【図９】
2005234609.tif 000011
【図１０】
2005234609.tif 000012
【図１１】
2005234609.tif 000013
【図１２】
2005234609.tif 000014
【図１３】
2005234609.tif 000015
【図１４】
2005234609.tif 000016
【図１５】
2005234609.tif 000017
【図１６】
2005234609.tif 000018
【図１７】
2005234609.tif 000019
【図１８】
2005234609.tif 000020
【図１９】
2005234609.tif 000021
【図２０】
2005234609.tif 000022